(57)【要約】【課題】構造が簡単で安価に製造でき、別部材をマスク本体に設置する必要がないため装着時に少ない違和感で着用者の鼻元とマスク本体との密着性を確保し、メガネ使用時の曇りを防止することが可能なマスクの提供。【解決手段】不織布とフィルターから成るマスク本体に、マスク本体を顔に保持するための耳掛紐を備え、マスク本体を折り返しプリーツを形成する。マスク上方への呼気漏出防止のために、外側プリーツ部の上部長手方向中央部と、マスク本体もしくは顔面側プリーツ部の外側における、上部長手方向中央部周辺とを接着し、接着部付近の裏側が着用者の鼻尖に接する鼻当接部を形成する。更に、マスク本体上部に屈曲自在なワイヤーを取り付け、鼻当接部の左右の鼻当接拡開部が拡開して鼻尖から鼻翼及び頬に沿って密着支持する構造を有する。且つ、マスク前方への呼気漏出防止のため、マスク本体上部に、樹脂やゴムの溶液を塗布した通気遮断部を設ける。【選択図】図１
2016059780.tif 000002
【特許請求の範囲】
【請求項１】
マスク本体と、前記マスク本体の両側に設けられた一対の耳掛紐とを備え、前記マスク本体は、折り目が上方に位置するように折り返されることで側方に延びるプリーツを形成し、前記プリーツの上部側方中央部を持ち上げ、マスク本体に固定することによって、固定部付近の裏側に使用者の鼻尖上に当接する鼻当接部を形成したことを特徴とするマスク。
【請求項２】
前記耳掛紐は一端側が前記プリーツより上部に固定され他端側は前記プリーツより下部に固定された請求項１に記載のマスク。
【請求項３】
前記マスク本体上部において、前記マスク本体縦幅の少なくとも一部に、表裏の通気を遮断する通気遮断部が設けられた請求項１、又は２に記載のマスク。
【請求項４】
前記通気遮断部は、顔面に接触しないように設けられている請求項３に記載のマスク。
【発明の詳細な説明】
【技術分野】
【０００１】  本発明は、マスクに関する。
【背景技術】
【０００２】  周知のように、マスクは顔の鼻と口を覆うことで空気中に飛散するほこりや花粉、病菌の吸入を遮断する衛生用品として使用されている。
【先行技術文献】
【特許文献】
【０００３】
【特許文献１】特開２００９−６６３８２号公報
【特許文献２】特開２００８−２０６９４０号公報
【発明の概要】
【発明が解決しようとする課題】
【０００４】  従来のマスクで鼻と頬を覆うと、マスク本体部の上縁と鼻や頬との間に隙間が発生する。このため、メガネを掛けた人がマスクを装着した場合には、マスクの上縁と鼻や頬との間の隙間から息が上方に漏れて、メガネのレンズが曇るという欠点があった。【０００５】  従来からメガネの曇り止め効果を施したマスクが市販されているが、曇りの防止効果が充分とはいえない問題点を有している。また、マスク内側上部にスポンジを突出して設けたものがあるが、当該スポンジによって、顔面が押圧される違和感や、材質独特の匂いによる不快感が生じてしまう。【０００６】  本発明の目的は、上記の点に鑑みてなされたもので、マスク本体部と鼻や頬との間に別部材や粘着層を設けることなく密着性を向上することで隙間を大幅に減少させ、かつ、メガネを使用する人にとってメガネのレンズが曇ることがないようにしたマスクを提供することである。
【課題を解決するための手段】
【０００７】  本発明の上記目的を達成するために、マスク本体と、前記マスク本体の両側に設けられた一対の耳掛紐とを備え、前記マスク本体は折り目が上方に位置するように折り曲げることで側方に延びる山折プリーツを形成し、更に折り返すことで谷折プリーツを形成し、山折プリーツの上部側方中央部を持ち上げ、マスク本体に固定して、その付近の裏側に使用者の鼻尖上に当接する鼻当接部を形成し、マスク本体の上部には屈曲自在なノーズワイヤーを取り付け、鼻当接部の左右部分を拡開して鼻尖から鼻翼及び頬に沿って密着支持することによりマスクを構成している。【０００８】  また、前記耳掛紐は一端が前記山折プリーツより上部に固定され、他端側は伸展時に外側に起立する外側プリーツより下部に固定された構造をしている。【０００９】  更に、本発明の上記目的は、マスク上部への呼気の漏出を防止するために、マスク本体上部の縦幅の少なくとも一部に、樹脂やゴムの溶液の塗布、又はフィルム熱圧着にて構成される表裏の通気を遮断する通気遮断部が設けられた構造を有することにより達成される。
【発明の効果】
【００１０】  本発明によれば、構造が簡単で安価に製造できると共に、マスク本体の山折プリーツ中央を持ち上げマスク本体と固定することで、鼻に沿ったポケットを形成し、更に耳掛紐の一端を山折プリーツより上部にすることでマスク装着時に立体的にポケットが開き、別部材をマスク本体に設置させることなく、着用者の鼻元とマスク本体との密着性を確保し、メガネ使用時の曇りを防止することが可能であるマスクを提供することができる。
【図面の簡単な説明】
【００１１】
【図１】図１は、実施形態１のマスクを着用者が着用した状態を斜め上方から見たところを示す斜視図である。
【図２】図２は、実施形態１のマスクについて、マスク本体を伸展させるとともに、プリーツ部を起立させた状態を前方から見た状態を示す平面図である。
【図３】図３は、実施形態１のマスクについて、マスク本体を伸展させるとともに、プリーツ部を起立させた状態を上方から見た状態を示す上面図である。
【図４】図４は、実施形態１のマスクについて、図２における平面Ａ−Ａ’に沿って切断した断面を示す概略断面図であり、（ａ）はマスク本体を折り畳んだ状態における概略断面図、（ｂ）はマスク本体を伸展させるとともに、プリーツ部を起立させた状態における概略断面図である。
【図５】図５は、実施形態１のマスクについて、図２における平面Ｂ−Ｂ’に沿って切断した断面を示す概略断面図であり、（ａ）はマスク本体を折り畳んだ状態における概略断面図、（ｂ）はマスク本体を伸展させるとともに、プリーツ部を起立させた状態における概略断面図である。
【図６】図６は、実施形態１のマスクについて、図２における平面Ｂ−Ｂ’を分解した状態を示す図である。
【図７】図７は、従来のマスクと実施形態１のマスクにおける呼気の流れを模式的に示す図であり、（ａ）は従来のマスク、（ｂ）は実施形態１における模式図である。
【図８】図８は、実施形態２のマスクを分解した状態を示す図である。
【発明を実施するための形態】
【００１２】  以下、本発明の実施形態について添付図面を参照して説明する。なお、各図は、構成の理解を容易にするために部分的に拡大・縮小している。
【実施形態１】
【００１３】  図１は、本発明の一実施形態に係るマスクを着用者が着用した状態を斜め上方から見たところを示す斜視図である。また、図２は、本発明の一実施形態に係るマスクについて、マスク本体を伸展させるとともに、プリーツ部を起立させた状態を前方から見た状態を示す平面図である。なお、リップガードワイヤー２２、２４においては、必ずしも必須ではなく、省略も可である。
【００１４】  図１に示すように、マスク１０は鼻と口と顎などを包み空気中に飛散するほこりや花粉、病菌の吸入を遮断し、冷気を遮断して保温及び防寒をする通常的な機能を有する。マスク本体１２は一定面積を持つ不織布やガーゼ、フィルター生地を１枚ないし２枚以上積層することによって形成され、このフィルター生地としては、微細繊維に静電気を帯電させた特殊静電フィルター、また、活性炭を入れた構造、防臭抗菌セラミックフィルター等が使用される。
【００１５】  次に、マスク本体プリーツの説明をする。ここでは、折り目が上方に位置し断面が山型をしているプリーツを山折プリーツ１２Ｙ、折り目が下方に位置し断面が谷型をしているプリーツを谷折りプリーツ１２Ｔと定義する。図１、図２、図４に示すように、マスク本体１２は、所定の縦幅に折られ、山折プリーツ１２Ｙと谷折プリーツ１２Ｔとを１つ以上備えている。
【００１６】  さらに、山折りプリーツ１２Ｙの側方中央部はマスク本体上部側方中央付近と固定される接着部３０を形成することで、接着部３０を中心にして左右にポケット１８Ａ，１８Ｂが形成され、着用者１００の頬に接する構造となる。また、接着部３０の接着方法は超音波シーリング処理などの溶着によって固定されている。
【００１７】  マスク本体１２を顔面に保持する耳掛紐２６は、一端が山折プリーツ１２Ｙより上部に固定され、他端側は外側プリーツ１２Ａより下部に固定される。耳掛紐２６の一端を山折プリーツ１２Ｙより上部に固定することで、鼻当接拡開部１６は顔面側へ引っ張られるが、左右ポケット１８Ａ、１８Ｂは鼻当接拡開部１６から独立しているので、マスクを伸展しプリーツを起立させた際にポケット１８Ａ、１８Ｂが効率良く立体的に膨らむ。図３、図５に示すように、着用者の鼻尖上に当接する鼻当接拡開部１６Ａ、１６Ｂは、ポケット１８Ａ、１８Ｂの裏に形成されているので、ポケット１８Ａ、１８Ｂが膨らむと着用者の鼻元の角度と略一致するので、鼻当接部１６が自然に着用者の鼻元に違和感なく接し、上方への呼気流出防止が可能となり、メガネレンズの曇りが防止されるものとなる。
【００１８】  次に、樹脂加工の説明を記載する。図１、図２、図６、図８に示すように、通気遮断部４０は、マスクが着用された時に、鼻孔位置または鼻孔よりも上方になる部分に設けられた非通気性部であり、マスク本体と顔面との非接触側上方部で且つ縦幅の１／４〜１／３の幅に設けられ、樹脂やゴムの溶液などを塗布した印刷部４２を有する。樹脂としては、シリコン樹脂、ポリエチレン樹脂、塩化ビニル樹脂などを用いると良い。さらに、通気遮断部４０の有無を容易に視認するために、印刷部４０に着色やデザインを施してもよい。
【００１９】  図７は、呼気の流れを模式的に示した図である。図７（ａ）に示すように、樹脂加工の効果は、マスク上部に通気遮断部４０を形成することにより、マスク上部における前方への呼気流通を抑制することができ、メガネを装着した際、マスク本体１２が鼻孔及び口を覆っても、通気遮断部４０によって呼気が前方に漏れなくなるため、メガネレンズの曇りが防止されるものとなる。
【００２０】  さらに、図１、図２に示すように、適度の形状保持性と柔軟性を有する合成樹脂材によるノーズワイヤー２０をマスク本体１２上部に設けることにより、顔面形状にフィットさせることにて、さらなる呼気漏洩防止効果の向上を図ることができる。
【実施形態２】
【００２１】  プリーツの数を増減させることも可能である。図８に示すように、マスク本体１２のプリーツの数を増やし、谷折りプリーツ１２Ｔと山折りプリーツ１２Ｙとを側方中央で固定し、顔面側に凸状の顔面側突出部１２Ｄを形成しても良い。
【００２２】  このとき、鼻当接拡開部１６Ａ、１６Ｂは、マスク本体１２端部において、外側プリーツ部１２Ａが外側へ広がり、かつ顔面側突出部１２Ｄが顔面側へ広がることにより、立体形状が維持されて、鼻尖から鼻翼及び頬に沿って密着支持することとなり、鼻元への密着性および装着感をより向上させる。
【００２３】  また、図４に示すように、マスク本体１２中央部において、マスク本体１２下部の奥行方向寸法Ｌ１と、マスク本体上部の奥行方向寸法Ｌ２との差異を１０％未満とすることで、外側プリーツ部１２Ａは外側へのみ広がり、鼻尖から鼻翼にかけての密着性の向上、および口元の空間確保による息苦しさを軽減できる。
【００２４】  さらに、図５に示すように、図２における平面Ｂ−Ｂ’断面部において、マスクを伸展、起立させた際にマスク本体１２下部の奥行方向寸法Ｌ１を、マスク本体上部の奥行方向寸法Ｌ２の４０％〜５０％とすることで、鼻元への密着性および装着感をより向上できる。例えば奥行方向寸法Ｌ１を奥行方向寸法Ｌ２の４０％未満とした場合、鼻当接部１６が着用者１００の鼻元まで届かず密着性が悪化してマスク１０の着用時の安心感が低下する。あるいは奥行方向寸法Ｌ１を奥行方向寸法Ｌ２の５０％よりも大きくした場合、鼻当接部１６が鼻元で過剰となって皺となり密着性が悪化してマスク１０の着用時に違和感が生じたりする。
【００２５】  すなわち、鼻の先端程度までしかカバーできなかった従来のマスクと異なり、鼻当接部１６を設けることで、鼻全体を鼻当接拡開部１６Ａ、１６Ｂにて覆い、着用者１００を選ぶことなくマスク本体１２と鼻元との密着性を確保できる。
【００２６】  さらに、従来のマスクと比較して、密着性が良好となり、空気中に飛散するほこりや花粉、病菌の吸入遮断、冷気を遮断して保温及び防寒をする効果が向上するとともに、着用者がメガネを掛けた状態でのメガネの曇り防止効果もある、装着感に違和感のないマスクとなる。
【００２７】  また、従来の曇り止めマスクとは異なりスポンジ等の別部材をマスク本体に設置させることはないので、構造が簡単で、かつ安価に製造することができる。
【００２８】  以上、説明した本発明の実施例は例示的にすぎず、本発明が属された技術分野の通常の知識を持つものであればこれにより多様な変形及び均等な他の実施例が可能だということを理解するであろう。それゆえ本発明は、上記の詳細な説明で触れられる形だけに限定するものではないことをよく理解できるのである。従って本発明の真の技術的な保護範囲は添付された特許請求の範囲の技術的な思想によって定められるべきである。また、本発明は添付された特許請求の範囲によって定義される本発明の精神とその範囲内にある全ての変形物と均等物及び代替物を含むものと理解されなければならない。
【符号の説明】
【００２９】１０    マスク
１２    マスク本体
１２Ａ  顔面側プリーツ部
１２Ｙ  山折プリーツ
１２Ｔ  谷折プリーツ
１６    鼻当接部
１６Ａ  鼻当接拡開部
１６Ｂ  鼻当接拡開部
１８Ａ  ポケットＡ
１８Ｂ  ポケットＢ
１８Ｄ  外側突出部
２０    ノーズワイヤー
２２    リップガードワイヤー
２４    リップガードワイヤー
２６    耳掛紐
３０    接着部
４０    通気遮断部
４２    印刷部
１００  着用者
【図１】
2016059780.tif 000003
【図２】
2016059780.tif 000004
【図３】
2016059780.tif 000005
【図４】
2016059780.tif 000006
【図５】
2016059780.tif 000007
【図６】
2016059780.tif 000008
【図７】
2016059780.tif 000009
【図８】
2016059780.tif 000010